(57)【要約】【課題】入力装置から受信された識別情報を利用することにより、適切なオブジェクトを表示したり、配置したりすることが出来ることを目的とする。【解決手段】入力装置から識別情報を受信する識別情報受信手段と、入力装置による手書き入力を受け付け可能な入力手段と、手書き入力からオブジェクトを生成するオブジェクト生成手段と、表示領域に、前記オブジェクトを表示させる制御を行う表示制御手段と、を備え、オブジェクト生成手段は、前記識別情報に基づいて、前記手書き入力から付箋オブジェクト又は描画オブジェクトを生成する。【選択図】図１
2019067111.tif 000002
【特許請求の範囲】
【請求項１】
表示部の表示領域にオブジェクトを表示させる制御をする表示制御装置であって、
入力装置から識別情報を受信する識別情報受信手段と、
入力装置による手書き入力を受け付け可能な入力手段と、
前記手書き入力からオブジェクトを生成するオブジェクト生成手段と、
前記表示領域に、前記オブジェクトを表示させる制御を行う表示制御手段と、
を備え、
前記オブジェクト生成手段は、前記識別情報に基づいて、前記手書き入力から付箋オブジェクト又は描画オブジェクトを生成することを特徴とする表示制御装置。
【請求項２】
前記付箋オブジェクトは、所定の付箋サイズの大きさで表示され、
前記オブジェクト生成手段は、前記付箋オブジェクトを生成するときには、前記付箋サイズに含まれるように、前記オブジェクトを縮小することを特徴とする請求項１に記載の表示制御装置。
【請求項３】
前記オブジェクト生成手段は、少なくとも一辺が付箋サイズになるように、前記オブジェクトを縮小することを特徴とする請求項２に記載の表示制御装置。
【請求項４】
前記表示制御手段は、前記オブジェクトとして、付箋オブジェクトを表示する場合には前記表示領域に整列して表示させる制御を行うことを特徴とする請求項１又は２に記載の表示制御装置。
【請求項５】
前記オブジェクト生成手段は、前記入力手段により、手書き入力が行われなくなってから所定時間経過したときに、前記オブジェクトを生成することを特徴とする請求項１から４の何れか一項に記載の表示制御装置。
【請求項６】
前記識別情報と、入力モードとを対応づけて記憶する入力モードテーブルを更に有し、
前記オブジェクト生成手段は、前記識別情報に基づいて入力モードテーブルを参照し、手書き入力時の入力モードが付箋ペンモードの場合は、前記オブジェクトを付箋オブジェクトとして生成し、それ以外の入力モードの場合は、描画オブジェクトとして生成することを特徴とする請求項１から５の何れか一項に記載の表示制御装置。
【請求項７】
前記入力モードテーブルには、識別情報に対応づけて更に属性が記憶されており、
前記表示制御手段は、前記オブジェクトを表示する場合には、前記属性に基づいて表示態様を決定し、表示させる制御を行うことを特徴とする請求項６に記載の表示制御装置。
【請求項８】
表示部の表示領域にオブジェクトを表示させる制御をする表示制御装置のコンピュータに、
入力装置から識別情報を受信する識別情報受信機能と、
入力装置による手書き入力を受け付け可能な入力機能と、
前記手書き入力からオブジェクトを生成するオブジェクト生成機能と、
前記表示領域に、前記オブジェクトを表示させる制御を行う表示制御機能と、
を実現させるためのプログラムであって、
前記オブジェクト生成機能は、前記識別情報に基づいて、前記手書き入力から付箋オブジェクト又は描画オブジェクトを生成することを特徴とするプログラム。
【発明の詳細な説明】
【技術分野】
【０００１】
本発明は表示部の表示領域にオブジェクトを表示させる制御をする表示制御装置等に関する。
【背景技術】
【０００２】
近年、大型のディスプレイを設けた表示装置が普及しつつあることから、当該表示装置を電子黒板のように利用して、会議や授業が行われる場面が増えつつある。これらの表示装置を利用して、ブレインストーミングを行う場合には、アイデアをメモとして貼り付けていく方法（例えば、ＫＪ法）を利用することが多い。
【０００３】
ここで、付箋のような表示を実現する方法として、例えば特許文献１には、現在表示中の画像の一部又は全部を移動対象画像として選択して移動させるための所定の選択移動操作、並びに現在表示中の画像の一部を移動禁止画像として選択するための所定の選択操作が受け付け可能になっており、所定の選択操作に応じて移動禁止画像が選択された状態で、上記所定の選択移動操作を受け付けた場合には、上記移動禁止画像を現在の表示位置にそのまま表示させた状態で、上記移動対象画像を移動させる表示制御を実行する発明が開示されている。
【０００４】
また、手書き入力された文字を縮小して表示する技術として、例えば特許文献２は、入力済みの手書きデータをブロックとしてイメージデータに変換し、イメージデータの行ピッチに対応する幅が表示画面上の所定の表示領域の行ピッチ以下となるように、イメージデータを、アスペクト比固定で縮小して縮小イメージデータを作成して、この縮小イメージデータを所定の表示領域にて行方向に順次配列して表示する発明が開示されている。
【先行技術文献】
【特許文献】
【０００５】
【特許文献１】特開２０１４−９２８２９号公報
【特許文献２】特開２００８−８４１３６号公報
【発明の概要】
【発明が解決しようとする課題】
【０００６】
上述した特許文献１は、外見上は付箋のような表示がされているが、実際の付箋のように自由に移動したりすることが出来ず、使い勝手がよいものではなかった。
【０００７】
また、ブレインストーミング等では複数の利用者が、同じシートに文字や図形を書き込み、付箋として表示させたい場合がある。近年のディスプレイの大型化や、マルチタッチの検出といった表示装置の性能が向上したことにより、そのニーズは大きくなっている。
【０００８】
しかし、従来の装置では、複数の利用者が書き込むことは想定していないため、付箋のデータを書き込む場合に、その都度切り替える必要があった。また、利用者毎に付箋の種類（属性）を切り替える場合も、その都度メニュー等から選択する必要があり、使い勝手が良いものとは言えなかった。
【０００９】
とくに、ブレインストーミング等は、話の流れがあり、その都度適切にアイデアを出していくことが大切である。しかし、上述したように、その都度メニュー等で切り替える作業が入ると、話の流れが中断されてしまうという問題点があった。
【００１０】
上述した課題を解決するために、本発明の表示制御装置は、入力装置から受信された識別情報を利用することにより、適切なオブジェクトを表示したり、配置したりすることが出来ることを目的とするものである。
【課題を解決するための手段】
【００１１】
上述した課題に鑑み、本発明の表示制御装置は、
表示部の表示領域にオブジェクトを表示させる制御をする表示制御装置であって、
入力装置から識別情報を受信する識別情報受信手段と、
入力装置による手書き入力を受け付け可能な入力手段と、
前記手書き入力からオブジェクトを生成するオブジェクト生成手段と、
前記表示領域に、前記オブジェクトを表示させる制御を行う表示制御手段と、
を備え、
前記オブジェクト生成手段は、前記識別情報に基づいて、前記手書き入力から付箋オブジェクト又は描画オブジェクトを生成することを特徴とする。
【００１２】
本発明のプログラムは、
表示部の表示領域にオブジェクトを表示させる制御をする表示制御装置のコンピュータに、
入力装置から識別情報を受信する識別情報受信機能と、
入力装置による手書き入力を受け付け可能な入力機能と、
前記手書き入力からオブジェクトを生成するオブジェクト生成機能と、
前記表示領域に、前記オブジェクトを表示させる制御を行う表示制御機能と、
を実現させるためのプログラムであって、
前記オブジェクト生成機能は、前記識別情報に基づいて、前記手書き入力から付箋オブジェクト又は描画オブジェクトを生成することを特徴とする。
【発明の効果】
【００１３】
本発明の表示制御装置によれば、入力装置から受信された識別情報を利用することで、入力されたオブジェクトを識別情報に応じて適切に表示制御することができるようになる。
【図面の簡単な説明】
【００１４】
【図１】第１実施形態におけるシステム全体を説明するための図である。
【図２】第１実施形態における表示装置の機能構成を説明するための図である。
【図３】第１実施形態における入力モードテーブルの一例を説明するための図である。
【図４】第１実施形態における処理の概要を説明するための図である。
【図５】第１実施形態における動作例を説明するための図である。
【図６】第２実施形態における動作例を説明するための図である。
【図７】第３実施形態における処理の概要を説明するための図である。
【図８】第３実施形態における動作例を説明するための図である。
【図９】第４実施形態における動作例を説明するための図である。
【発明を実施するための形態】
【００１５】
以下、本発明の表示制御装置を用いた表示装置１０について説明する。なお、各実施形態は本発明を説明する都合上記載したものであり、本発明の範囲が以下の実施形態に限定されるものではない。
【００１６】
［１．第１実施形態］
［１．１  全体構成］
まず、第１実施形態について説明する。図１は、本実施形態における表示装置１０の外観を示す図である。表示装置１０は、タッチ操作可能な装置であり、入力装置２０を利用することにより、オブジェクトが入力可能である。
【００１７】
ここで、本実施形態にいうオブジェクトとは、１又は複数の表示画面に表示出来る単位であり、例えば、手書き入力された図形、文字（文字列）、アイコン、写真等の何れであってもよい。また、手書き入力された図形を１つのまとまりとして、移動、消去、属性変更が可能な付箋データ（付箋画像データ、メモデータ）についても、オブジェクトの１つである付箋オブジェクトとして扱うことが可能である。
【００１８】
すなわち、付箋オブジェクトとは、一般的な付箋紙のような機能を、表示画面上で実現するオブジェクトである。例えば、各オブジェクトが表示されている表示画面に重畳して付箋オブジェクトが表示される。
【００１９】
この付箋オブジェクトは、自由に貼り付けたり、取り除いたり（削除したり）することができる。また、背景の色を変えたり、大きさを変えたり、透過率を変更したりすることが可能である。
【００２０】
付箋オブジェクトは、例えば他のオブジェクトが存在するレイヤ（例えば、表示レイヤ）の上に、付箋レイヤを設け、当該レイヤに貼り付けられても良い。また、他のオブジェクトと同じレイヤに貼り付ける場合には、前面に表示されるように属性を持たせても良い。なお、一般的には付箋オブジェクトが、他のオブジェクトに優先して前面に表示されるが、利用者の設定により一般のオブジェクトと同様に扱われても良い。
【００２１】
［１．２  機能構成］
続いて、本実施形態における表示装置１０の機能構成について図２に基づいて説明する。表示装置１０は、制御部１００と、表示部１１０と、タッチ検出部１２０と、位置サイズ判定部１２２と、オブジェクト生成部１２４と、画像処理部１３０と、通信部１４０と、記憶部１５０と、入力装置インタフェース（ＩＦ）１６０とを備えて構成される。
【００２２】
制御部１００は、表示装置１０の全体を制御するための機能部である。制御部１００は、記憶部１５０に記憶されている各種プログラムを読み出して実行することにより各種機能を実現しており、例えばＣＰＵ（Central Processing Unit）等により構成されている。
【００２３】
表示部１１０は、オブジェクトやコンテンツ等を表示する機能部である。例えば、ＬＣＤ（liquid crystal display：液晶ディスプレイ）や、有機ＥＬディスプレイ（ＯＬＥＤ）等により構成されている。また、表示部１１０の表示画面には、表示領域を有しており、表示領域に各種オブジェクトを配置し、表示することが可能である。
【００２４】
タッチ検出部１２０は、利用者からのタッチ操作を検出することにより、操作入力を実現するための機能部である。例えば、表示部１１０と一体に構成されてタッチパネル等により実現される。タッチ操作を検出方法としては、静電容量方式、電磁誘導方式、赤外線方式といった何れかの方法を用いて検出できれば良い。また、検出箇所としても、１点であっても良いし、複数点検出可能であっても良い。
【００２５】
また、本実施形態においては、入力装置２０のタッチ操作を検出することにより、操作入力が実現される。入力装置２０は、タッチ検出部１２０でタッチ操作が検出できれば良いことから、例えばタッチパネルの方式に対応して、感圧式に対応したタッチペンや、静電容量式に対応した導電素材を備えたタッチペンにより構成される。また、直接通信を行うアクティブ方式のタッチペンであってもよい。
【００２６】
また、入力装置２０は、入力装置ＩＦ１６０を介して接続可能である。入力装置ＩＦ１６０としては、例えばＢｌｕｅｔｏｏｔｈ（登録商標）等の近距離無線通信方式や、独自の無線通信方式等を利用しても良い。また、アクティブ方式のタッチペンであれば、併せて入力装置２０と、表示装置１０とが通信できても良い。
【００２７】
すなわち、本実施形態においては、入力装置２０の識別情報２１０を、表示装置１０で受信可能であればよい。識別情報２１０は、入力装置２０を一意に識別するための情報であればよく、固有ＩＤや、装置ＩＤ等が利用される。
【００２８】
また、入力装置２０は、その他にも圧力感知センサや、ジャイロセンサを内蔵し、圧力情報や姿勢情報、位置情報を併せて送信してもよい。
【００２９】
すなわち、入力装置２０が、タッチ検出部１２０及び／又は入力装置ＩＦ１６０を介することで、少なくともタッチ操作した位置（タッチが検出された位置）と、識別情報とが表示装置１０において取得可能で有れば良い。
【００３０】
位置サイズ判定部１２２は、入力された手書き入力データ（例えば、ストローク情報）に基づいて構成されるオブジェクト（例えば、入力装置２０により入力された手書きオブジェクト）の位置やサイズを判定する。また、オブジェクト生成部１２４は、入力された手書き入力データから手書きオブジェクトや、その他のオブジェクトを作成する機能部である。入力されたストロークに基づく手書き入力データを、単に手書きの描画オブジェクトとして生成してもよいし、文字・記号に文字認識し、テキストオブジェクトを生成してもよい。
【００３１】
画像処理部１３０は、画像処理を実現するための機能部である。画像処理部１３０としては、例えば、画像に対して鮮鋭化処理や、ストロークデータに対してなめらかさを変える処理を行う等の種々の画像処理を行う機能部である。
【００３２】
また、入力された手書き入力データ（手書きオブジェクト）から文字認識を行ってテキスト文字（列）を出力したり、描画オブジェクトをベクトルデータや、ラスタデータに変換したりする処理を行ってもよい。
【００３３】
この位置サイズ判定部１２２、オブジェクト生成部１２４、画像処理部１３０は、必要に応じて処理毎にプログラムとして記憶部１５０に記憶され、必要に応じて読み出されて実行されることにより、実現されてもよい。
【００３４】
通信部１４０は、表示装置１０が通信を行う為の機能部である。例えば、ＩＥＥＥ８０２．１１ａ／ｂ／ｇ／ｎといった無線ＬＡＮを利用したり、Ｂｌｕｅｔｏｏｔｈ（登録商標）等の近距離無線通信を利用したりする。なお、ＬＴＥ通信等により一般的な通信を行っても良い。
【００３５】
記憶部１５０は、表示装置１０の動作に必要な各種プログラムや、各種データが記憶されている機能部である。記憶部１５０は、例えば、半導体メモリであるＳＳＤ（Solid State Drive）や、磁気ディスクであるＨＤＤ（Hard Disk Drive）等により構成されている。
【００３６】
また、記憶部１５０には、各種プログラムの他に、オブジェクトとして手書き入力データに基づいて生成される手書きオブジェクトが記憶される手書きオブジェクトデータ１５２と、手書きオブジェクトから生成される描画オブジェクトが記憶される描画オブジェクトデータ１５４と、付箋オブジェクトが記憶される付箋オブジェクトデータ１５６と、入力モードテーブル１５８とが記憶されている。
【００３７】
手書きオブジェクトデータ１５２は、手書き入力される手書き入力データが、ブロック化して手書きオブジェクトとして出力されたものが記憶される。例えば、利用者により手書き入力された手書き入力データ（ストローク情報）が集まることにより、一つのグループ化された図形オブジェクトとして記憶される。
【００３８】
描画オブジェクトデータ１５４は、描画オブジェクトとして表示領域に表示されるオブジェクトが記憶される。例えば、手書きオブジェクトがそのまま記憶されてもよいし、色情報や、線の太さといった属性が付加されて記憶されてもよい。また、入力モードによっては、例えば手書きオブジェクトから、矩形や円形の描画オブジェクトに変換して記憶してもよい。
【００３９】
付箋オブジェクトデータ１５６は、手書きオブジェクトから、所定の大きさに変換された付箋オブジェクトが記憶されている。具体的には、付箋オブジェクトは、均一の大きさである付箋サイズが決められている。また、付箋サイズに対応する付箋台紙が決められており、付箋台紙に手書きオブジェクトが含まれるように合成されて、付箋オブジェクトとなる。
【００４０】
付箋サイズとは、付箋オブジェクトのサイズとして所定のサイズが決められている。また、付箋サイズの付箋台紙が画像（図形）オブジェクトとして決められている。付箋台紙の描画が行われることにより、利用者に付箋オブジェクトであることを容易に視認させることができるようになっている。また、付箋サイズとして、例えば、縦８０ピクセル、横１６０ピクセルと設定された場合は、当該サイズが解るような矩形の付箋台紙が設定される。なお、通常の矩形図形と異なることを示す識別表示がされてもよい。
【００４１】
なお、付箋サイズは、最初に付箋オブジェクトが生成されるときの大きさであり、付箋オブジェクトが生成された後は変更することができる。すなわち、付箋台紙の大きさを変えることにより、付箋オブジェクト全体の大きさが変わることとなる。したがって、付箋台紙に含まれて表示されている手書きオブジェクトの大きさも連動して変化することとなる。
【００４２】
また、手書きオブジェクトから付箋オブジェクトとなることで、移動や、属性変更、大きさ変更が容易に出来たり、表示／非表示の切り替えや、整列等が容易に出来たりすることとなる。
【００４３】
なお、本実施形態においては、手書き入力された図形に基づいて付箋オブジェクトが生成されるが、例えばテキスト文字列や、他のオブジェクト（例えば、画像ファイル等）から付箋オブジェクトが生成されてもよい。
【００４４】
また、付箋オブジェクトは、表示されている他のオブジェクト（例えば、図形や画像）に重畳的に表示されても良いし、単独で表示されても良い。また、本実施形態においては、付箋オブジェクトとして表しているが、例えばメモデータや、備忘データといった他の表し方をしてもよい。
【００４５】
なお、本実施形態では、説明の都合上、表示されるオブジェクトの種類としては描画オブジェクトと、付箋オブジェクトとについて説明するが、表示領域に表示出来るオブジェクトであれば、他のオブジェクトが記憶されてもよい。
【００４６】
例えば、スキャナ、デジタルカメラや、画像ファイル等からＪＰＥＧデータや、ＢＭＰデータといった画像ファイルに基づく画像オブジェクト、文字（記号）列からなるテキストオブジェクト（なお、文字には、利用者がタッチペンや手、マウス等で書いた文字である手書き文字と、ＡＳＣＩＩコードやＪＩＳコード、Ｕｎｉｃｏｄｅ等で示されるテキスト文字とが含まれる。）、他のファイルで表示可能なコンテンツオブジェクトを、適宜記憶し、表示することが可能である。
【００４７】
入力モードテーブル１５８は、図３に示すように、入力装置２０の識別情報（例えば、「ＰＥ０１」）と、入力モード（例えば、「手書きペンモード」）とを対応づけて記憶しているテーブルである。
【００４８】
入力モードとは、手書きオブジェクトを、どのようなオブジェクトとして出力するのかを示すものである。例えば、手書きペンモードであれば、手書きオブジェクトは、描画オブジェクトとして出力され、付箋ペンモードであれば付箋オブジェクトとして出力される。なお、他にも例えばテキストペンモードである場合、手書きオブジェクトについてテキスト認識し、テキストオブジェクトとして出力する。
【００４９】
［１．３  処理の流れ］
続いて本実施形態における処理の流れについて図に基づいて説明する。
【００５０】
まず、手書き入力を検知する（ステップＳ１０２）。手書き入力が検知された場合は、入力された手書き検知の入力座標及び／又は識別情報を取得し（ステップＳ１０２；Ｙｅｓ→ステップＳ１０４）、手書き入力データとして出力される。
【００５１】
すなわち、手書き入力データとして取得されている座標、ストローク等と併せて、現在入力している入力装置２０の識別情報を受信することができる。識別情報は、通常手書き入力が行われている間は受信されるものであるが、最初に一度だけ受信してもよい。また、受信された識別情報は、手書き入力データと併せて記憶されてもよいし、手書きオブジェクトに対応して記憶してもよい。
【００５２】
ここで、連続して手書き入力されている場合は、取得された入力座標に基づいて手書き入力データとしてそのまま出力される（ステップＳ１０６；Ｎｏ→ステップＳ１０４）。なお、このとき、入力装置２０（タッチペン）の軌跡が手書き入力データとなり、入力装置２０の軌跡に応じて表示領域に線が描画される。
【００５３】
ここで、手書き入力の中断していた時間が所定時間経過した場合（例えば、タッチアップしている時間が所定時間経過した場合）、手書き入力データが１つにブロック化され、手書きオブジェクトとして出力される（ステップＳ１０６；Ｙｅｓ→ステップＳ１０８）。
【００５４】
ここで、入力された手書きオブジェクトについて、入力装置２０の識別情報に基づき、付箋ペンモードで入力されたか否かを判定する（ステップＳ１１０）。ここで、付箋ペンモード以外で入力されている場合（本実施形態では、「手書きペンモード」）は、手書きオブジェクトを描画オブジェクトとして生成して出力する（ステップＳ１１６）。すなわち、本実施形態の場合は、手書きオブジェクトをそのまま描画オブジェクトとして、表示領域に表示する。
【００５５】
また、入力モードが「付箋ペンモード」であれば（ステップＳ１１０；Ｙｅｓ）、手書きオブジェクトを、付箋サイズに調整する（ステップＳ１１２）。具体的には、所定の大きさである付箋サイズに収まる範囲で、手書きオブジェクトを縮小したり、拡大したりする。なお、このとき、単純に付箋サイズに収まらない場合には縮小表示することとしてもよいし、付箋サイズの最大に表示されるように、縮小表示又は拡大表示されることとしてもよい。
【００５６】
そして、調整された手書きオブジェクトと、付箋台紙とを併せて付箋オブジェクトとして生成し、出力される（ステップＳ１１４）。すなわち、表示領域に付箋オブジェクトが表示されることとなる。
【００５７】
ここで、付箋オブジェクトの大きさを示す付箋サイズは、付箋オブジェクトが生成される場合は、初期のサイズとなるように調整される。これにより、付箋オブジェクトが均一の大きさで出力され、表示画面に整列したときに、視認性よく並べることができる。
【００５８】
また、整列の方法としては、例えば左上から左方向に整列しても良いし、右上から下方向に整列してもよい。すなわち、どこから整列を開始し、どの方向に整列するかはシステムにより設定されてもよいし、利用者が設定してもよい。
【００５９】
そして、画面の再描画処理が行われる（ステップＳ１１８）。画面の再描画処理は、全体的な画面の再描画を行う。ここで、付箋オブジェクトと他のオブジェクトとが異なる動作をしてもよい。
【００６０】
例えば、オブジェクトがシートに配置されている場合、シートのページを切り替えることで表示されているオブジェクトが変化する。このシートのページを切り替えても、付箋オブジェクトはそのまま表示され続けるといった表示をしてもよい。
【００６１】
また、他のオブジェクトを拡大、縮小、移動といった操作を行った場合でも、付箋オブジェクトはそのまま同じ位置に表示を行ってもよい。
【００６２】
すなわち、付箋オブジェクトは、他のオブジェクトと連動して表示されてもよいし、他のオブジェクトと異なる表示がされてもよい。
【００６３】
［１．４  動作例］
つづいて、本実施形態における動作例について、図５を利用して説明する。図５は、本実施形態における表示画面Ｗ１００の一例を示す図である。
【００６４】
図５（ａ）の表示画面Ｗ１００には、既に付箋オブジェクトＦ１００と、付箋オブジェクトＦ１０２とが整列して表示されている。付箋オブジェクトは、付箋台紙に手書きオブジェクトが収まって表示されている。
【００６５】
ここで、入力装置２０によって、手書きオブジェクトＨ１００が入力さる。具体的には、入力装置２０の軌跡に応じて手書き入力データが入力され、タッチアップして所定時間が経過すると、手書きオブジェクトＨ１００として表示される。
【００６６】
このとき、入力装置２０の識別情報から、手書きオブジェクトＨ１００は、付箋ペンモードで入力されたことが識別可能である。
【００６７】
図５（ｂ）は、処理について説明するための模式図である。すなわち、手書きオブジェクトＨ１００が含まれる領域Ｒ１００が認識される。そして、付箋オブジェクトとして付箋サイズである領域Ｒ１０２の大きさに入るように、手書きオブジェクトは縮小され、領域Ｒ１０４の大きさとなる。
【００６８】
そして、図５（ｃ）に示すように、付箋台紙に縮小された手書きオブジェクトが表示され、全体として付箋オブジェクトＦ１０４として表示される。付箋オブジェクトＦ１０４は、付箋オブジェクトＦ１００、付箋オブジェクトＦ１０２と並んで表示されることとなる。
【００６９】
なお、付箋オブジェクトは整列して表示されているが、例えば位置を入れ替えたりすることもできるし、異なる場所に移動して表示することも可能である。また、色を変えたり、属性を変えたりすることも出来るし、この後大きさを変更することも可能である。
【００７０】
また、図５（ｂ）では、手書きオブジェクトが含まれる領域Ｒ１００が付箋サイズを示す領域Ｒ１０２より大きいため縮小表示されているが、小さい場合にはそのままでもよいし、付箋サイズの領域（すなわち、付箋台紙）の中で最大に表示されるように拡大表示されてもよい。
【００７１】
また、図５（ａ）の入力装置２０の入力モードが「手書きペンモード」であれば、図５（ａ）のままである。すなわち、手書きオブジェクトＨ１００は、描画オブジェクトとしてそのまま表示された状態となり、付箋オブジェクトには変換されない。
【００７２】
このように、本実施形態によれば、入力装置２０（例えばタッチペン）により、自動的に手書き入力された図形が、手書きされた状態である描画オブジェクトとして表示されたり、付箋オブジェクトして表示されたりすることとなる。利用者としては、手書き入力のとき、いちいち入力モードを切り替えたり、指定したりすることなく、入力装置を変えるだけで容易に所望するオブジェクトを入力し、表示させることが可能となる。
【００７３】
［２．第２実施形態］
つづいて、第２実施形態について説明する。第１実施形態では、ステップＳ１１４において、付箋オブジェクトを整列して表示したが、本実施形態では、付箋オブジェクトを整列して表示しない場合について説明する。なお、第１実施形態と機能構成及び処理フローについて、同じ部分については、説明を省略し、異なる部分を中心に説明する。
【００７４】
図６は、第２実施形態における動作を説明した図であり、表示画面Ｗ２００の一例を示した図である。
【００７５】
図６（ａ）に示すように、本実施形態においては付箋オブジェクトＦ２００及び付箋オブジェクトＦ２０２は整列しないで表示されている。
【００７６】
ここで、手書きオブジェクトＨ２００が含まれる領域Ｒ２０２がその位置で認識される。また、付箋オブジェクトとして表示される付箋サイズを示す領域Ｒ２００により大きいため、縮小表示の処理が実行される。
【００７７】
縮小表示された様子を模式的に示すのが図６（ｂ）である。図６（ｂ）では、手書きオブジェクトが表示される領域が、領域Ｒ２０４の大きさに縮小表示される。すなわち、付箋オブジェクトが表示されるべき付箋サイズである領域Ｒ２００の大きさに入るように縮小表示される。
【００７８】
そして、図６（ｃ）に示すように、手書きオブジェクトは、付箋オブジェクトＦ２０４に縮小されて表示される。なお、手書きオブジェクトＨ２００と、付箋オブジェクトＦ２０４の位置は、システム及び利用者により適宜設定可能である。例えば、左上や右上といった頂点座標が一致するように変換されたり、中心座標が一致するように変換されたりすればよい。
【００７９】
このように、本実施形態によれば、付箋オブジェクトを任意の位置に表示させることが可能となる。
【００８０】
［３．第３実施形態］
つづいて、第３実施形態について説明する。第３実施形態では、入力モードテーブル１５８に、更に属性を記憶させることで、属性毎に異なる付箋オブジェクトを表示させる実施形態である。
【００８１】
入力モードテーブル１５８は、第１実施形態では図３に示したように、識別情報に入力情報が対応づけて記憶されている。本実施形態では、更に属性が記憶される。
【００８２】
属性としては、利用者のＩＤであったり、付箋の色であったりしてもよい。また、手書き入力時の線の太さや、色といった属性で有ってもよい。本実施形態では、利用者情報を属性として記憶している。
【００８３】
また、表示装置１０は、利用者毎に表示する属性を記憶している。例えば、利用者毎に付箋オブジェクトの色を記憶することで、異なる色の付箋オブジェクトを表示することが可能となる。
【００８４】
図７は、本実施形態における処理フローである。図７の処理フローは第１実施形態において図４で説明した処理フローを置き換えたものであり、同一の処理については同一の符号を付している。
【００８５】
図７の処理フローでは、手書きオブジェクトを付箋サイズ（付箋台紙に含まれる大きさ）に調整した後、識別情報から付箋の属性である付箋属性を決定している（ステップＳ２０２）。そして、手書きオブジェクトから、付箋オブジェクトを生成するときに、付箋属性に基づいた付箋オブジェクトを生成して出力する（ステップＳ２０４）。
【００８６】
図８は、第３実施形態における動作を説明した図であり、表示画面Ｗ３００の一例を示した図である。
【００８７】
図８（ａ）に示すように、入力装置２０Ａで手書きオブジェクトＨ３００が、入力装置２０Ｂで手書きオブジェクトＨ３０２が、入力装置２０Ｃで手書きオブジェクトＨ３０４がそれぞれ表示されている。
【００８８】
このとき、各入力装置２０の識別情報に対応づけて、手書きオブジェクトもそれぞれ識別表示されている。本図では、線の太さで示しているが、例えば色（手書きオブジェクトＨ３００は赤、手書きオブジェクトＨ３０２は青、手書きオブジェクトＨ３０４は黒）で識別表示されてもよい。
【００８９】
図８（ｂ）は、各入力装置２０がタッチアップされた後に、領域が認識されている。ここで、入力装置２０Ａと、入力装置２０Ｂは、付箋ペンモードであり、入力装置２０Ｃは手書きペンモードである。
【００９０】
この場合、図８（ｃ）と併せて説明すると、手書きオブジェクトＨ３００の領域Ｒ３００が認識され、付箋オブジェクトＦ３００が生成され、表示されている。また、手書きオブジェクトＨ３０２の領域Ｒ３０２が認識され、付箋オブジェクトＦ３０２が生成され、表示されている。
【００９１】
また、付箋オブジェクトは、属性に従って表示態様で生成され、表示されることとなる。例えば、手書きオブジェクトと同じ色で背景が出力されたり、入力装置２０毎（識別情報毎）に設定された付箋オブジェクトの属性（付箋属性）に従った表示態様で表示されてもよい。また、手書きオブジェクトＨ３０４は、そのまま描画オブジェクトとして表示されている。
【００９２】
このように、本実施形態によれば、入力装置２０の識別情報に応じて、付箋オブジェクトの表示態様を変えて表示させることが可能となる。
【００９３】
［４．第４実施形態］
つづいて、第４実施形態について説明する。第１実施形態では、ステップＳ１１２において、付箋サイズに収まるように、手書きオブジェクトを調整して表示した。本実施形態では、少なくとも一辺の大きさが含まれるように縮小するが、他辺の大きさに応じた付箋オブジェクトを生成する実施形態について説明する。なお、第１実施形態と機能構成及び処理フローについて、同じ部分については、説明を省略し、異なる部分を中心に説明する。
【００９４】
図９は、第４実施形態における動作を説明した図であり、表示画面Ｗ４００の一例を示した図である。
【００９５】
図９（ａ）に示すように、本実施形態においては付箋オブジェクトＦ４００及び付箋オブジェクトＦ４０２は整列して表示されている。
【００９６】
ここで、手書きオブジェクトＨ４００が入力され、入力装置２０の属性から付箋ペンモードで入力されたと判定された場合、手書きオブジェクトＨ４００に基づいて、付箋オブジェクトが生成される。
【００９７】
図９（ｂ）に示すように、手書きオブジェクトＨ４００が含まれる領域はＲ４００であり、付箋サイズの領域Ｒ４０２のサイズより大きくなっている。そこで、本実施形態では、縦サイズを付箋サイズと同じ大きさになるように縮小し、横サイズはそのまま付箋オブジェクトのサイズ（すなわち、付箋台紙の大きさ）を拡張することとする。
【００９８】
図９（ｃ）のように、付箋オブジェクトＦ４０４は、他の付箋オブジェクトと比較すると横長となって生成され、表示されている。ここで、縦方向が同じ長さであることから、整列をしたとしても違和感無く表示することが可能である。
【００９９】
このように、本実施形態によれば、付箋オブジェクトを生成するときに、付箋サイズと少なくとも一辺が同じサイズとなるように縮小し、付箋オブジェクトが生成されることとなる。
【０１００】
これにより、手書きオブジェクトが極端に小さいサイズになるといったことを防ぐことが可能となり、また、整列方向によっては違和感無く表示させることが可能となる。
【０１０１】
［５．適用例］
上述した各実施形態の表示制御装置を利用することで、利用者は入力装置に応じて適切なオブジェクトを表示させることが可能となる。
【０１０２】
また、特定のペンで記入をすると自動的に固定サイズの付箋紙として貼り付けを行うことで、ユーザーは苦労して小さく文字を必要がなく、また整理がしやすいという利便性を得ることができる。
【０１０３】
これは、例えば、表示装置を、電子黒板のような装置で利用する場合、垂直設置されており、タッチパネルの制約で手のひらをタッチパネルにつけてペン書きできない場合が多いため、付箋のサイズに小さく文字を書くのは難しい。
【０１０４】
しかし、本実施形態の発明を利用すれば、ユーザーが付箋に対して小さく文字を書かなくても、後で整理しやすいように小さな付箋にアイデアをまとめることができる。
【０１０５】
［６．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１０６】
また、各機能はプログラムで構成されていても良いし、ハードウェアで構成されても良い。そして、プログラムで実現されている場合は、記録媒体に記録されており、当該記録媒体からプログラムを読み出して実行しても良いし、ネットワークに保存され、ダウンロードして実行しても良い。
【０１０７】
また、上述した実施形態では、タッチ検出部として操作をタッチパネルとし、タッチ操作（タップ操作）を例に説明したが、例えばマウス等の外部入力装置で、クリック操作等により操作が行われてもよい。
【０１０８】
また、上述した実施形態によれば、表示装置に表示制御装置が含まれていることとして説明したが別装置であってもよい。例えば、タッチパネルを有する表示装置に、表示制御装置としてコンピュータを接続してもよい。この場合、例えば表示装置とコンピュータとをＵＳＢ接続することにより、タッチパネルにおける入力座標をコンピュータで取得することができる。また、ＨＤＭＩ（登録商標）等で表示装置に出力することにより、付箋オブジェクト等を表示することができる。また、これらの制御信号と、表示制御信号を１つの信号線で接続してもよい。
【０１０９】
また、上述した実施形態では、表示装置は、表示部と、操作入力部とを備えている例を説明したが、本実施形態に開示した発明を実施するためには、他の方式であってもよい事は勿論である。例えば、表示部１１０としてプロジェクタを利用し、タッチ検出部１２０として人感センサを利用してもよい。そして、タッチ検出部１２０、表示部１１０に制御用のコンピュータを接続することにより、表示システムとして実現されてもよい。
【０１１０】
また、上述した実施形態は、説明の都合上、それぞれ別に説明している部分があるが、技術的に可能な範囲で組み合わせて実行してもよいことは勿論である。
【０１１１】
このように、本明細書に記載した各実施形態は、矛盾の無い範囲で組み合わせて実行することができる。
【０１１２】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１１３】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１１４】
また、各機能を備えたアプリケーションを、スマートフォンやタブレット、画像形成装置といった各種装置にインストールし、実行することで実現してもよい。
【符号の説明】
【０１１５】
１０  表示装置
１００  制御部
１１０  表示部
１２０  タッチ検出部
１２２  位置サイズ判定部
１２４  オブジェクト生成部
１３０  画像処理部
１４０  通信部
１５０  記憶部
１５２  手書きオブジェクトデータ
１５４  描画オブジェクトデータ
１５６  付箋オブジェクトデータ
１５８  入力モードテーブル
２０  入力装置
２１０  識別情報
【図１】
2019067111.tif 000003
【図２】
2019067111.tif 000004
【図３】
2019067111.tif 000005
【図４】
2019067111.tif 000006
【図５】
2019067111.tif 000007
【図６】
2019067111.tif 000008
【図７】
2019067111.tif 000009
【図８】
2019067111.tif 000010
【図９】
2019067111.tif 000011